(57)【要約】【課題】  既設の端子台が配設された端子盤に新たな端子台を増設するときでも、後方に位置する既設端子台の作業性を良好にできる増設ユニットを提供する。【解決手段】  複数の端子６、６、…を有する既設端子台５が上下方向に延びて配設された端子盤１に、複数の端子１６、１６、…を有する新設端子台１５を増設するための端子盤用増設ユニット１０であって、既設端子台５、５の前方でかつ上方に略水平方向に延びて配設される第１のガイド部材１１と、前記既設端子台５、５の前方でかつ下方に略水平方向に延びて配設される第２のガイド部材１２と、上下方向に延びて前記新設端子台１５を配設可能で、前記第１のガイド部材１１と前記第２のガイド部材１２に対してスライド自在に取り付けられる端子台配設部材１３と、を備える。【選択図】  図１
2020123436.tif 000002
【特許請求の範囲】
【請求項１】
複数の端子を有する既設端子台が上下方向に延びて配設された端子盤に、複数の端子を有する新設端子台を増設するための端子盤用増設ユニットであって、
前記既設端子台の前方でかつ上方に略水平方向に延びて配設される第１のガイド部材と、
前記既設端子台の前方でかつ下方に略水平方向に延びて配設される第２のガイド部材と、
上下方向に延びて前記新設端子台を配設可能で、前記第１のガイド部材と前記第２のガイド部材に対してスライド自在に取り付けられる端子台配設部材と、
を備えることを特徴とする端子盤用増設ユニット。
【請求項２】
前記端子台配設部材は、前記新設端子台の配設位置を上下方向に調整自在となっている、
ことを特徴とする請求項１に記載の端子盤用増設ユニット。
【発明の詳細な説明】
【技術分野】
【０００１】
この発明は、多数の端子台の収容する配電盤、分電盤、制御盤等の既設の端子盤に、新設の端子台を増設するできる端子盤用増設ユニットに関する。
【背景技術】
【０００２】
電気設備には、高圧主回路機器、各種制御器具、リレー、スイッチ、回路遮断機、計器、ヒューズなどの機器があり、これら機器間、或いはこれら機器を中継接続したり、外部配線ケーブルと電気設備内配線ケーブルとを中継接続したりするための端子台がある。
【０００３】
端子台は、配線ケーブルの各接続端が着脱可能に取り付けられ、この取付により所望の配線ケーブルの接続を行う複数個の端子部材を有し、これら端子部材が相互間を電気的に絶縁した状態で並列的に隣接配置した構造をしている（特許文献１）。
【０００４】
このような端子台は、電気所内において作業性、メンテナンスなどを考慮して、１箇所にまとめた端子盤に集められ、コンパクト化が求められているため、比較的狭い収容スペース内に多数の端子台を収容する必要性が生じている。
【０００５】
一方、作業者が端子台にアクセスしやすいように、また、配線ケーブルの接続作業やメンテナンス等の各種作業を行い易いように、収容スペース内に整列して配置するなどの工夫もされている。
【先行技術文献】
【特許文献】
【０００６】
【特許文献１】特開２００８−４２９５５号公報
【発明の概要】
【発明が解決しようとする課題】
【０００７】
ところで、電気設備の機能向上に伴い、電気設備の増設や回線の増加などがあった場合など、端子盤に端子台を増設したい場合がある。
【０００８】
このようなとき、上記のような端子盤にあっては、端子盤内のうち、既設端子台の前方に新設端子台を配設することが考えられるが、既設端子台の前方に新設端子台を配設してしまうと、既設端子台が新設端子台の後方に位置されてしまうため、既設端子台へのアクセルが悪くなり、メンテナンス性、作業性などが悪化してしまうという問題があった。
【０００９】
そこで本発明は、上記課題を解決するために、既設端子台の前方に増設される新設端子台をスライド可能に配設する端子盤用増設ユニットを提供することを目的とする。
【課題を解決するための手段】
【００１０】
上記課題を解決するために、請求項１の発明は、複数の端子を有する既設端子台が上下方向に延びて配設された端子盤に、複数の端子を有する新設端子台を増設するための端子盤用増設ユニットであって、前記既設端子台の前方でかつ上方に略水平方向に延びて配設される第１のガイド部材と、前記既設端子台の前方でかつ下方に略水平方向に延びて配設される第２のガイド部材と、上下方向に延びて前記新設端子台を配設可能で、前記第１のガイド部材と前記第２のガイド部材に対してスライド自在に取り付けられる端子台配設部材と、を備えることを特徴とする。
【００１１】
この発明によれば、前方に配設する新設端子台が左右方向にスライドする。
【００１２】
請求項２の発明は、請求項１に記載の端子盤用増設ユニットにおいて、前記端子台配設部材は、前記新設端子台の配設位置を上下方向に調整自在となっている、ことを特徴とする。
【発明の効果】
【００１３】
請求項１の発明によれば、既設端子台の前方に配設される新設端子台を左右方向にスライド自在にしたので、既設端子台の前方に新設端子台が配設されていても、新設端子台を左右方向にスライドさせることで、後方に位置する既設端子台が新設端子台に隠れることなく露出させることで、既設端子台が見やすくなり、ケーブル接続等の作業や点検などを効率的に行うことができる。さらに、作業性などを低下させることなく、端子台の収容数を増加することもできる。しかも、ユニットになっているため、既存の端子盤に本端子盤用増設ユニットを取り付けるだけで、作業性や点検性などを損なうことなく、容易に新設端子台を増設することが可能となる。
【００１４】
請求項２の発明によれば、請求項１の発明において、新設端子台の配設位置を上下方向に調整自在にしたので、後方に配設された既設端子台の前方のスペースを作業状況に合わせて適切な位置で確保することができ、新設端子台の増設に伴う既設端子台の作業性の悪化をさらに軽減することができる。
【図面の簡単な説明】
【００１５】
【図１】図２及び図３とともにこの発明の実施の形態を示すもので、本図は全体の概略を示す図であり、（ａ）は正面図、（ｂ）は平面図、（ｃ）は右側面図である。
【図２】既設端子台が収容された端子盤にこの発明の実施の形態に係る増設ユニットに取付けた新設端子台をほぼ中央部に収容したもので、（ａ）は正面図、（ｂ）は平面図である。
【図３】図２の状態から新設端子台を左方へ移動した状態を示すもので、（ａ）は正面図、（ｂ）は平面図である。
【図４】既設端子台が収容された端子盤を示すもので、（ａ）は正面図、（ｂ）は平面図である。
【発明を実施するための形態】
【００１６】
以下、この発明を図示の実施の形態に基づいて説明する。
【００１７】
（実施の形態）
図１〜図３は、この実施の形態に係る増設ユニット１０を示すもので、（ａ）は正面図、（ｂ）は平面図、（ｃ）は右側面図である。また、図２及び図３は、既設の端子盤内に新設端子台を取付けた増設ユニットを増設した状態を示すものである。
【００１８】
具体的には、図２は新設端子台を端子盤１内の左右方向のほぼ中央部に配置したもので、（ａ）は正面図、（ｂ）は平面図である。
【００１９】
また、図３は新設端子台を端子盤１内の左方にややずらせた位置に配置したもので、（ａ）は正面図、（ｂ）は平面図である。
【００２０】
なお、本発明の実施の形態に係る増設ユニット１０を説明する前に、既設端子盤について説明し、その後、本発明の実施の形態について詳細に説明する。
【００２１】
また、この発明は、端子盤、端子台などに関するものであるため、本来、端子に接続される電線、ケーブルといった部材があるはずであるが、図面の見易さを優先してこれら電線、ケーブルの類については図示を省略する。
【００２２】
先ず、図４は２つの端子台が組み込まれた既設の端子盤を示すものであり、（ａ）は正面図、（ｂ）は平面図である。
【００２３】
端子盤収容スペース１内に、複数の端子６、６、…を有する端子台５が上下方向に延びて配設される。
【００２４】
端子盤の左右側壁１Ｒ、１Ｌには支持柱２、２が設けられ、これら２本の支持柱２、２には、ほぼ水平方向に延びる支持梁３、３が上下に離間してそれぞれ配設されている。図４（ｂ）においては左右側壁の一部を記す。
【００２５】
また、前記支持柱２、２の端子盤の左右側壁１Ｒ、１Ｌへの固定手段については図示を省略したが、例えば、ボルト、ナットやタッピングビスが考えられる。また、支持梁３、３の支持柱２、２への固定手段も図示は省略したが、同様に例えば、ボルト、ナットやタッピングビスが考えられる。
【００２６】
なお、図２〜４では、図面をわかりやすくするために、ボルトの一部については図示を省略した部分もある。
【００２７】
前記端子台５は、多数の端子６、６、…が左右２列で上下方向に延びるようには整列され、このような端子台５は上下に延びる端子台配設部材４に貼着され、端子台配設部材４の上下端部が前記支持梁３、３にボルトとナットで固定されている。
【００２８】
このような端子台５は、図４において２つ図示しているが、実際にはもっと多数の端子台５、５、…が端子盤収容スペース１内に配設され、既設の端子台５、５、…として配設されている。
【００２９】
次に、この発明の実施の形態に係る端子盤用増設ユニット１０について説明する（図１参照）。
【００３０】
増設ユニット１０は、上方に略水平方向に延びて配設される第１のガイド部材１１と、下方に略水平方向に延びて配設される第２のガイド部材１２と、前記第１のガイド部材１１と前記第２のガイド部材１２に取り付けられる端子台配設部材１３と、から成る。
【００３１】
前記第１のガイド部材１１及び前記第２のガイド部材１２にはその長手方向に延びる長孔１１ａ、１１ａ、…、１２ａ、１２ａ、…が複数形成されており、前記端子台配設部材１３は、その上下端部において第１のガイド部材１１の長孔１１ａ、第２のガイド部材１２の長孔１２ａとそれぞれボルトとナットで結合され、ほぼ垂直方向に延びるように配設されている。
【００３２】
これにより、前記ボルトとナットを緩めることにより、端子台配設部材１３を左右方向にスライド自在になっている。
【００３３】
また、端子台配設部材１３にもその長手方向に延びる長孔１３ａ、１３ａ、…が形成されており、これは、後述する新設の端子台１５の背面に設けられたボルト（図示は省略する）が貫通しナット（図示は省略する）によって取り付けられ、このボルト、ナットを緩めることにより端子台１５が端子台配設部材１３に対して上下方向に配設位置を調整自在とするためである。なお、端子台１５が端子台配設部材１３に対して上下方向に配設位置を調整自在にする構造としては、上記長孔１３ａに限らず、端子台配設部材１３を適宜な位置で把持できる把持手段を端子台１５に設けるようにしても良い。
【００３４】
左右側壁１Ｒ、１Ｌの前記支持柱２、２よりも前方に寄った位置に、これら支持柱２、２とほぼ同じ支持柱１４、１４が設けられており、これら２本の支持柱１４、１４に、増設ユニット１０の前記第１のガイド部材１１、第２のガイド部材１２がそれぞれ取り付けられている。なお、第１のガイド部材１１、第２のガイド部材１２の固定に関し、上述のような支持柱１４、１４は用いず、側壁１Ｒ、１Ｌに直接取り付けるようにしても良い。
【００３５】
このようにして、増設ユニット１０は端子盤収容スペース１の前記既設端子台５、５よりも前方の位置に配設され、上述のように、増設ユニット１０に取り付けられた新設端子台１５は、第１のガイド部材１１及び第２のガイド部材１２に対して左右方向にスライド自在にでき、また、端子台配設部材１３に対して上下方向の配設位置を調整自在になっている。
【００３６】
新設端子台１５にも上記既設端子台５と同様に、多数の端子１６、１６、…が左右２列で上下方向に延びるようには整列されている。
【００３７】
図２、図３は、この実施の形態に係る増設ユニット１０を用いて新設端子台１５を既設の端子盤収容スペース１に配設したもので、図２は、新設端子台１５を２つの既設端子台５、５の前方であって左右方向のほぼ中央部に位置させた状態を示す。また、図３は図２の状態から新設端子台１５を左方にスライドさせた状態を示す。
【００３８】
このように新設端子台１５を左方はスライドさせることにより、その後方に位置する既設端子台５、５のうち右側の端子台５の前方に大きなスペースができ、その分、右側端子台５に対して作業性を良好にすることができる。しかも、ユニットになっているため、既存の端子盤に本端子盤用増設ユニット１０を取り付けるだけで、作業性や点検性などを損なうことなく、容易に新設端子台１５を増設することが可能となる。
【００３９】
なお、図示は省略したが、上述のように、新設端子台１５を端子台配設部材１３に対して上下方向に配設位置を調整自在にしたため、左右方向にスライド自在にしたことに加えて、さらに既設端子台の作業状況に合わせて適切な作業スペースの位置確保することができる。
【００４０】
このような新設端子台１５の端子１６、１６、…に接続する電線、ケーブル等は、新設端子台１５が左右方向、或いは上下方向の配設位置を調整自在にしているため、ある程度余長があるようにすると良い。これにより、新設端子台１５をスライド、位置調整したとき、電線、ケーブルにテンションが掛かったり、断線したりする事故を防止することができる。
【００４１】
また、各図において、支持柱２と支持梁３、支持柱１４とガイド部材１１、１２は、実際にはボルトとナットとにより固定されているが、図面ではその図示を省略した。
【００４２】
さらにまた、このような固定手段はボルトとナットに限らず、既知の結合手段、例えば一方の部材に小孔を設け他方の部材にはネジ挿通孔を設けこの他方の部材側からタッピングネジを通して一方の部材の小孔に締め込むようにしても良い。
【００４３】
これら第１のガイド部材１１、第２のガイド部材１２および端子台配設部材１３は断面コ字状のチャンネル材からなり、強度、剛性を高めている。もちろん、この発明増設ユニット１０を構成する各部材１１、１２、１３などはコ字状のチャンネル材に限る必要はなく、当該位置に配設され、使用に供される強度があれば良い。
【００４４】
以上、この発明の各実施の形態について説明したが、具体的な構成は、上記の実施の形態に限られるものではなく、この発明の要旨を逸脱しない範囲の設計の変更等があっても、この発明に含まれる。例えば、一方の部材が他方の部材に対してスライド自在にする手段として、長孔とボルト、ナットとによる結合手段を示したが、これに限らず、一方の部材に他方の部材を把持する把持手段を設けるようにしても良い。
【符号の説明】
【００４５】
１        端子盤
５        既設端子台
６        端子
１０      端子盤用増設ユニット
１１      第１のガイド部材
１２      第２のガイド部材
１３      端子台配設部材
１５      新設端子台
１６      端子
【図１】
2020123436.tif 000003
【図２】
2020123436.tif 000004
【図３】
2020123436.tif 000005
【図４】
2020123436.tif 000006